(57)【特許請求の範囲】
【請求項１】
軸線方向の一端側にタイミングベルト挿脱口を有すると共に当該軸線方向と直交状に回動レバー出入口を有する回動レバー収納空所が形成され、かつ、回動レバー用係止部が設けられている用具本体と、
上記軸線方向へ遊動自在にして前記回動レバー出入口より出入自在なるよう用具本体に枢支されて前記回動レバー収納空所に内装されたものであって、前記タイミングベルト挿脱口からみた奥側の端部にタイミングベルト衝当部が形成され、タイミングベルトの歯部と係嵌自在に対応する抜け止め溝が刻設され、さらに前記回動レバー用係止部と係脱自在に対応する係留部が具備されている回動レバーとからなり、
用具本体のタイミングベルト挿脱口から回動レバー収納空所に進入させたタイミングベルトの連結端部を回動レバーのタイミングベルト衝当部に押当させることで、用具本体の回動レバー出入口から開動突出状態にある回動レバーが閉動収納状態となってその抜け止め溝がタイミングベルトの歯部に係嵌されるものであり、かつ、
当該係嵌状態のタイミングベルトを用具本体から引出方向へ牽引することで、回動レバーの係留部が用具本体の回動レバー用係止部に係止されるものであることを特徴とするタイミングベルト連結用具のベルト押さえ部。
【請求項２】
軸線方向の一端側にタイミングベルト挿脱口を有すると共に当該軸線方向と直交状に回動レバー出入口を有する回動レバー収納空所が形成され、かつ、回動レバー用係止部が設けられている用具本体と、
上記軸線方向へ遊動自在にして前記回動レバー出入口より出入自在なるよう用具本体に枢支されて前記回動レバー収納空所に内装されたものであって、前記タイミングベルト挿脱口からみた奥側の端部にタイミングベルト衝当部が形成され、タイミングベルトの歯部と係嵌自在に対応する抜け止め溝が刻設され、さらに前記回動レバー用係止部と係脱自在に対応する係留部や、前記用具本体のタイミングベルト挿脱口の対向側に形成された開動用自由端部が具備されている回動レバーとからなり、
用具本体のタイミングベルト挿脱口から回動レバー収納空所に進入させたタイミングベルトの連結端部を回動レバーの上記開動用自由端部に押当させることで、当該回動レバーの係留部が用具本体の回動レバー用係止部との係留状態から離脱して、当該回動レバーが用具本体の回動レバー出入口から開動突出状態に回動するものであり、かつ、
前記回動レバー収納空所へのさらなる進入でタイミングベルトの連結端部を回動レバーのタイミングベルト衝当部に押当させることにより、上記開動突出状態の回動レバーが閉動収納状態となってその抜け止め溝がタイミングベルトの歯部に係嵌されるものであり、かつ、
当該係嵌状態のタイミングベルトを用具本体から引出方向へ牽引することで、回動レバーの係留部が用具本体の回動レバー用係止部に係止されるものであることを特徴とするタイミングベルト連結用具のベルト押さえ部。
【請求項３】
回転レバーの基端部側にあって幅員方向に設けられた回動ピンが、用具本体の幅員側壁に設けられた軸線方向に長い案内長孔に嵌装されることにより、回動レバーが用具本体に対して軸線方向へ遊動自在にしてあると共に回動自在である請求項１または請求項２記載のタイミングベルト連結用具のベルト押さえ部。
【請求項４】
軸線方向の一端側にタイミングベルト挿脱口を有すると共に当該軸線方向と直交状に回動レバー出入口を有する回動レバー収納空所が形成され、かつ、回動レバー用係止部が設けられている用具本体と、
上記軸線方向へ遊動自在にして前記回動レバー出入口より出入自在なるよう用具本体に枢支されて前記回動レバー収納空所に内装されたものであって、前記タイミングベルト挿脱口からみた奥側の端部にタイミングベルト衝当部が形成され、タイミングベルトの歯部と係嵌自在に対応する抜け止め溝が刻設され、さらに前記回動レバー用係止部と係脱自在に対応する係留部が具備されている回動レバーと
前記用具本体と回動レバーとの間に設けられているものであって、用具本体の回動レバー用係止部へ向けての押動弾発力や、回動レバー出入口から開動突出状態となるような開動弾発力を回動レバーに付与するための弾発源とからなり、
用具本体のタイミングベルト挿脱口から回動レバー収納空所に進入させたタイミングベルトの連結端部を上記弾発源の押動弾発力に抗して回動レバーを用具本体内へ押入することにより、回動レバーの係留部が回動レバー用係止部から外れて当該回動レバーが前記開動弾発力で用具本体の開動レバー出入口から開動突出状態となるものであり、かつ、
当該タイミングベルトの連結端部が回動レバーのタイミングベルト衝当部に押当することにより、用具本体の回動レバー出入口から開動突出状態にある回動レバーが上記開動弾発力に抗して閉動収納状態となり、その抜け止め溝がタイミングベルトの歯部に係嵌されるものであり、かつ、
回動レバーの開動突出状態への開動を阻止しながら当該係嵌状態のタイミングベルトを用具本体から引出方向へ牽引することで、回動レバーの係留部が用具本体の回動レバー用係止部に係止されるものであることを特徴とするタイミングベルト連結用具のベルト押さえ部。
【請求項５】
軸線方向の一端側にタイミングベルト挿脱口を有すると共に当該軸線方向と直交状に回動レバー出入口を有する回動レバー収納空所が形成され、かつ、回動レバー用係止部が設けられている用具本体と、
上記軸線方向へ遊動自在にして前記回動レバー出入口より出入自在なるよう用具本体に枢支されて前記回動レバー収納空所に内装されたものであって、前記タイミングベルト挿脱口からみた奥側の端部にタイミングベルト衝当部が形成され、タイミングベルトの歯部と係嵌自在に対応する抜け止め溝が刻設され、さらに前記回動レバー用係止部と係脱自在に対応する係留部や、前記回動レバー出入口から押し込み自在なるよう用具本体の奥側へ向けて延設された係留離脱用操作レバーが具備されている回動レバーと、
前記用具本体と回動レバーとの間に設けられているものであって、用具本体の回動レバー用係止部へ向けての押動弾発力や、回動レバー出入口から開動突出状態となるような開動弾発力を回動レバーに付与するための弾発源とからなり、
前記係留離脱用操作レバーの押し込み操作による用具本体の回動レバー用係止部からの係留部の離脱により、回動レバーが前記開動弾発力で用具本体の開動レバー出入口から開動突出状態となるものであり、かつ、
タイミングベルト挿脱口から回動レバー収納空所に進入させたタイミングベルトの連結端部を回動レバーのタイミングベルト衝当部に押当することにより、上記開動突出状態の回動レバーが上記開動弾発力に抗し閉動収納状態となってその抜け止め溝がタイミングベルトの歯部に係嵌するものであり、かつ、
回動レバーの開動突出状態への開動を阻止しながら当該係嵌状態のタイミングベルトを用具本体から引出方向へ牽引することで、回動レバーの係留部が用具本体の回動レバー用係止部に係止されるものであることを特徴とするタイミングベルト連結用具のベルト押さえ部。
【請求項６】
軸線方向の一端側にタイミングベルト挿脱口を有すると共に当該軸線方向と直交状に回動レバー出入口を有する回動レバー収納空所が形成され、かつ、回動レバー用係止部が設けられていると共に回動停止用螺杆を螺合される螺孔が設けられている用具本体と、
上記軸線方向へ遊動自在にして前記回動レバー出入口より出入自在なるよう用具本体に枢支されて前記回動レバー収納空所に内装されたものであって、前記タイミングベルト挿脱口からみた奥側の端部にタイミングベルト衝当部が形成され、タイミングベルトの歯部と係嵌自在に対応する抜け止め溝が刻設され、さらに前記回動レバー用係止部と係脱自在に対応する係留部が具備されている回動レバーとからなり、
用具本体のタイミングベルト挿脱口から回動レバー収納空所に進入させたタイミングベルトの連結端部を回動レバーのタイミングベルト衝当部に押当させることで、用具本体の回動レバー出入口から開動突出状態にある回動レバーが閉動収納状態となってその抜け止め溝がタイミングベルトの歯部に係嵌されるものであり、かつ、
当該係嵌状態のタイミングベルトを用具本体から引出方向へ牽引することで、回動レバーの係留部が用具本体の回動レバー用係止部に係止されるものであり、かつ、
用具本体の前記螺孔に螺合された回動停止用螺杆により当該回動レバーの開動が阻止され、これの閉動収納状態が保持されるものであることを特徴とするタイミングベルト連結用具のベルト押さえ部。
【発明の詳細な説明】
【０００１】
【発明の属する技術分野】
本発明は例えば自動ドアを開閉作動させるのに用いられているタイミングベルト（歯付ベルト）を、駆動モータによって回転される歯付駆動プーリと従動プーリとの間に掛け回すような場合、タイミングベルトをエンドレス状態に連結するなどの用に供して好適なタイミングベルト連結用具のベルト押さえ部に関する。
【０００２】
【従来の技術】
これまで用いられているタイミングベルト連結用具１としては、図７に示す如く、第１、第２タイミングベルト連結用具１Ａ、１Ｂとを用意し、タイミングベルト２の一端部２ａを第１タイミングベルト連結用具１Ａの一対である第１挟持割部材１ａと第１ビス１ｂを用いて、抜け止め状態に挟持すると共に、連枢螺杆１ｃの一端に設けた直交軸ピン１ｄを、第１挟持割部材１ａの軸孔１ｅに枢着して、当該連枢螺杆１ｃに回り止めナット１ｆと座金１ｇとを嵌装しておく。
一方前記第２タイミングベルト連結用具１Ｂの一対である第２挟持割部材１ｈと第２ビス１ｉにより、これまた抜け止め状態となるよう前記タイミングベルト２の他端部２ｂを把持させると共に、第２タイミングベルト連結用具１Ｂの周溝１ｊに、回転自在なるよう調節ナット１ｋを係嵌しておき、前記した連枢螺杆１ｃをこの調節ナット１ｋに螺合させてある。
そして図７にあって１ｍ、１ｎは夫々第１、第２挟持割部材１ａ、１ｂに刻設された第１、第２抜け止め溝を示し、これにタイミングベルト２の一端部２ａ、他端部２ｂにおける歯部２ｃが係嵌され、１ｐ、１ｑは第１、第２ビス１ｂ、１ｉが螺着される第１、第２締着用螺孔を示す。
【０００３】
従って上記従来例によるときは、図６の如く各種の諸部材を用意しておき、第１挟持割部材１ａ間には、連枢螺杆１ｃの直交軸ピン１ｄを軸孔１ｅに嵌装すると共に、タイミングベルト２の一端部２ａを第１抜け止め溝１ｍに係嵌した状態として、第１ビス１ｂを第１締着用螺孔１ｐに螺着し、さらに第２挟持割部材１ｈについても周溝１ｊに調整ナット１ｋを係嵌すると共に、第２抜け止め溝１ｑにタイミングベルト２の他端部２ｂを係嵌状態として、第２ビス１ｉを第１締着用螺孔１ｑに螺着しなければならない。
かくして上記事例によるときはタイミングベルト２の一端部２ａと他端部２ｂとを連結状態とすることができると共に、調節ナット１ｋを螺回操作することで、第１、第２タイミングベルト連結用具１Ａ、１Ｂとの離間長が調整でき、これによりタイミングベルト２の望ましいテンション状態が調整されたならば、回り止めナット１ｆを回転させることで座金１ｑを介して調節ナット１ｋの不本意な回動を阻止し得ることとなる。
【０００４】
【発明が解決しようとする課題】
以上従来技術として説示したタイミングベルト連結用具１によってタイミングベルト２を連結しようとするときは、多数の各部品を工場の一部署で組み立てようとすれば、部品点数が多いことで、その保管場所の確保場所や合理化のためのレイアウト等につき検討が必要となり、多工程となることから誤作動も発生し易く、大変な労力と時間を費やすことになる。
そこで上記の難点を解消するため、社内部門や外注先に部品の組み付けを依頼し、自社にあっては、これにつき部分的な分解や組み立て作業を行うことでタイミングベルト２の一端部２ａや他端部２ｂを連結するといったことも実施されているが、このようにしても組立工程が重複してしまうことになるため、可成りの労力と時間を費やさねばならない。
さらに、また上記の自動ドアにつき例をとれば、既設のものにつきどうしてもタイミングベルト２を短縮しなければならないといった場合、モータ等が設けられている高所にあって第１ビス１ｂや第２ビス１ｉを弛めて分解や組み立ての作業をする必要があり、このため当該ビスを落としてしまった場合は、作業者が一旦フロアーに降りなければならず、また落下部品が下位での作業者に落当して怪我をしたり、当該部品を紛失して作業能率を阻害するといった問題も当然生ずることとなる。
【０００５】
本発明は上記の如き従来技術の難点を解消しようとするものであって、請求項１にあっては用具本体と、これに回動だけでなく軸線方向へ遊動自在に連枢した回動レバーとによって構成し、タイミングベルトの連結端部を、上記用具本体のタイミングベルト挿脱口から進入させて回動レバーのタイミングベルト衝当部に押当させることで、当該連結端部を金具本体と回動レバーの抜け止め溝との間に係嵌挟持自在とし、この状態でタイミングベルトを用具本体から引出手動させることで、回動レバーの保留部を金具本体の回動レバー用係止部に係嵌自在とするのである。
かくして当該請求項１では上記の如きタイミングベルトの進入と逆動操作だけで、タイミングベルトの歯部を抜け止め溝により係嵌保持可能とし、従来例の労力と作業時間を飛躍的に軽減、短縮し、ビス等の不本意な落動による不利益を一挙に解消使用とするのが、その目的である。
【０００６】
次に請求項２によるときは、上記請求項１の構成に加えて回動レバーが用具本体に対し閉動収納状態にあっても、前記の如くタイミングベルトの連結端部を金具本体のタイミングベルト挿脱口から進入させることで、回動レバーの回動用自由端部に押当させ、このことで用具本体の回動レバー用係止部から回動レバーの係留部を離脱させて、当該回動レバーを開動突出状態に回動可能となるよう構成し、その後は請求項１と同様にしてタイミングベルトの進入と逆動による一連の操作によって、タイミングベルトの連結端部を、用具本体と回動レバーとによって確実に把持できるようにするのが、その目的である。
【０００７】
請求項３にあっては、上記請求項１と請求項２において、回動レバーが用具本体に対して軸線方向へ遊動と回動との両性能を発揮し得るようにするため、用具本体の案内長孔に回動レバーの回動ピンを挿通し、これにより簡潔な構成により、当該請求項１、請求項２の目的を円滑に達成し得るようにしている。
【０００８】
さらに請求項４の場合には、前記請求項１の構成にあって、回動レバーと用具本体との間にコイルスプリング等による弾発源を設けることにより、当該弾発力によって回動レバーの用具本体に対する係留状態を確保すると共に、タイミングベルトの連結端部をタイミングベルト挿脱口から進入させて、上記の係留状態を外すことにより、回動レバーが同上弾発力によって開動突出状態へ強制的に回動するようにして、上記進入操作を行い易くすると共に、タイミングベルトを逆動操作することで閉動収納状態にある回動レバーの係留部を用具本体の回動レバー係止部に対し円滑なるスライドにより確実に係止できるようにするのである。そして上記一連の操作を効率よく高い信頼性をもって行い得るようにし、さらに連結したタイミングベルトを外して切り縮めの作業が必要となったときにも、タイミングベルトを押し込むことで、前述の通り回動レバーが弾性源によって跳ね上がるため、この種の作業も簡易迅速に実施できるようにするのが、その目的である。
【０００９】
請求項５にあっては、上記の請求項にあってその回動レバーにつき、これを回動レバー出入口から押し込み自在とした係留離脱用操作レバーを用具本体の奥側へ向けて延出しておくと共に、前記した回動レバーの係留部と用具本体の回動レバー用係止部とを係止してしまうのでなくスライド自在な係留状態としておき、もちろん当該係留状態にあっては前記弾発源による弾発力によって、当該係留状態が保持されるが、上記した係留離脱用操作レバーを用具本体内に押し込むことで、当該係留状態がスライドにより外れ得るようにしてある。これにより請求項５ではタイミングベルトの連結端部の押入によって、回動レバーを用具本体から外すようにしなくとも、係留離脱用操作レバーの押し込み操作で簡易迅速に回動レバーを開動突出状態となし得るようにし、その操作性をより向上させようとしている。
【００１０】
そして請求項６によるときは、請求項１の構成に加えて用具本体に、別途用意した回動停止用螺杆の螺合される螺孔を設けることで、当該螺孔に螺着した回動停止用螺杆によって、回動レバーの回動が阻止されるようにし、このことにより回動レバーの閉動収納状態が保持できるようにして、タイミングベルトの不本意な離脱を高い信頼度をもって阻止可能にしようとしている。
【００１１】
【課題を解決するための手段】
本発明の請求項１に係るタイミングベルト連結用具のベルト押さえ部は所期の目的を達成するために下記の課題解決手段を特徴とする。
すなわち、請求項１に係るタイミングベルト連結用具のベルト押さえ部は、
軸線方向の一端側にタイミングベルト挿脱口を有すると共に当該軸線方向と直交状に回動レバー出入口を有する回動レバー収納空所が形成され、かつ、回動レバー用係止部が設けられている用具本体と、
上記軸線方向へ遊動自在にして前記回動レバー出入口より出入自在なるよう用具本体に枢支されて前記回動レバー収納空所に内装されたものであって、前記タイミングベルト挿脱口からみた奥側の端部にタイミングベルト衝当部が形成され、タイミングベルトの歯部と係嵌自在に対応する抜け止め溝が刻設され、さらに前記回動レバー用係止部と係脱自在に対応する係留部が具備されている回動レバーとからなり、
用具本体のタイミングベルト挿脱口から回動レバー収納空所に進入させたタイミングベルトの連結端部を回動レバーのタイミングベルト衝当部に押当させることで、用具本体の回動レバー出入口から開動突出状態にある回動レバーが閉動収納状態となってその抜け止め溝がタイミングベルトの歯部に係嵌されるものであり、かつ、
当該係嵌状態のタイミングベルトを用具本体から引出方向へ牽引することで、回動レバーの係留部が用具本体の回動レバー用係止部に係止されるものであることを特徴とする。
【００１２】
本発明の請求項２に係るタイミングベルト連結用具のベルト押さえ部は所期の目的を達成するために下記の課題解決手段を特徴とする。
すなわち、請求項２に係るタイミングベルト連結用具のベルト押さえ部は、
軸線方向の一端側にタイミングベルト挿脱口を有すると共に当該軸線方向と直交状に回動レバー出入口を有する回動レバー収納空所が形成され、かつ、回動レバー用係止部が設けられている用具本体と、
上記軸線方向へ遊動自在にして前記回動レバー出入口より出入自在なるよう用具本体に枢支されて前記回動レバー収納空所に内装されたものであって、前記タイミングベルト挿脱口からみた奥側の端部にタイミングベルト衝当部が形成され、タイミングベルトの歯部と係嵌自在に対応する抜け止め溝が刻設され、さらに前記回動レバー用係止部と係脱自在に対応する係留部や、前記用具本体のタイミングベルト挿脱口の対向側に形成された開動用自由端部が具備されている回動レバーとからなり、
用具本体のタイミングベルト挿脱口から回動レバー収納空所に進入させたタイミングベルトの連結端部を回動レバーの上記開動用自由端部に押当させることで、当該回動レバーの係留部が用具本体の回動レバー用係止部との係留状態から離脱して、当該回動レバーが用具本体の回動レバー出入口から開動突出状態に回動するものであり、かつ、
前記回動レバー収納空所へのさらなる進入でタイミングベルトの連結端部を回動レバーのタイミングベルト衝当部に押当させることにより、上記開動突出状態の回動レバーが閉動収納状態となってその抜け止め溝がタイミングベルトの歯部に係嵌されるものであり、かつ、
当該係嵌状態のタイミングベルトを用具本体から引出方向へ牽引することで、回動レバーの係留部が用具本体の回動レバー用係止部に係止されるものであることを特徴とする。
【００１３】
本発明の請求項３に係るタイミングベルト連結用具のベルト押さえ部は、請求項１または請求項２記載のものにおいて、
回転レバーの基端部側にあって幅員方向に設けられた回動ピンが、用具本体の幅員側壁に設けられた軸線方向に長い案内長孔に嵌装されることにより、回動レバーが用具本体に対して軸線方向へ遊動自在にしてあると共に回動自在であることを特徴とする。
【００１４】
本発明の請求項４に係るタイミングベルト連結用具のベルト押さえ部は所期の目的を達成するために下記の課題解決手段を特徴とする。
すなわち、請求項４に係るタイミングベルト連結用具のベルト押さえ部は、
軸線方向の一端側にタイミングベルト挿脱口を有すると共に当該軸線方向と直交状に回動レバー出入口を有する回動レバー収納空所が形成され、かつ、回動レバー用係止部が設けられている用具本体と、
上記軸線方向へ遊動自在にして前記回動レバー出入口より出入自在なるよう用具本体に枢支されて前記回動レバー収納空所に内装されたものであって、前記タイミングベルト挿脱口からみた奥側の端部にタイミングベルト衝当部が形成され、タイミングベルトの歯部と係嵌自在に対応する抜け止め溝が刻設され、さらに前記回動レバー用係止部と係脱自在に対応する係留部が具備されている回動レバーと
前記用具本体と回動レバーとの間に設けられているものであって、用具本体の回動レバー用係止部へ向けての押動弾発力や、回動レバー出入口から開動突出状態となるような開動弾発力を回動レバーに付与するための弾発源とからなり、
用具本体のタイミングベルト挿脱口から回動レバー収納空所に進入させたタイミングベルトの連結端部を上記弾発源の押動弾発力に抗して回動レバーを用具本体内へ押入することにより、回動レバーの係留部が回動レバー用係止部から外れて当該回動レバーが前記開動弾発力で用具本体の開動レバー出入口から開動突出状態となるものであり、かつ、
当該タイミングベルトの連結端部が回動レバーのタイミングベルト衝当部に押当することにより、用具本体の回動レバー出入口から開動突出状態にある回動レバーが上記開動弾発力に抗して閉動収納状態となり、その抜け止め溝がタイミングベルトの歯部に係嵌されるものであり、かつ、
回動レバーの開動突出状態への開動を阻止しながら当該係嵌状態のタイミングベルトを用具本体から引出方向へ牽引することで、回動レバーの係留部が用具本体の回動レバー用係止部に係止されるものであることを特徴とする。
【００１５】
本発明の請求項５に係るタイミングベルト連結用具のベルト押さえ部は所期の目的を達成するために下記の課題解決手段を特徴とする。
すなわち、請求項５に係るタイミングベルト連結用具のベルト押さえ部は、
軸線方向の一端側にタイミングベルト挿脱口を有すると共に当該軸線方向と直交状に回動レバー出入口を有する回動レバー収納空所が形成され、かつ、回動レバー用係止部が設けられている用具本体と、
上記軸線方向へ遊動自在にして前記回動レバー出入口より出入自在なるよう用具本体に枢支されて前記回動レバー収納空所に内装されたものであって、前記タイミングベルト挿脱口からみた奥側の端部にタイミングベルト衝当部が形成され、タイミングベルトの歯部と係嵌自在に対応する抜け止め溝が刻設され、さらに前記回動レバー用係止部と係脱自在に対応する係留部や、前記回動レバー出入口から押し込み自在なるよう用具本体の奥側へ向けて延設された係留離脱用操作レバーが具備されている回動レバーと、
前記用具本体と回動レバーとの間に設けられているものであって、用具本体の回動レバー用係止部へ向けての押動弾発力や、回動レバー出入口から開動突出状態となるような開動弾発力を回動レバーに付与するための弾発源とからなり、
前記係留離脱用操作レバーの押し込み操作による用具本体の回動レバー用係止部からの係留部の離脱により、回動レバーが前記開動弾発力で用具本体の開動レバー出入口から開動突出状態となるものであり、かつ、
タイミングベルト挿脱口から回動レバー収納空所に進入させたタイミングベルトの連結端部を回動レバーのタイミングベルト衝当部に押当することにより、上記開動突出状態の回動レバーが上記開動弾発力に抗し閉動収納状態となってその抜け止め溝がタイミングベルトの歯部に係嵌するものであり、かつ、
回動レバーの開動突出状態への開動を阻止しながら当該係嵌状態のタイミングベルトを用具本体から引出方向へ牽引することで、回動レバーの係留部が用具本体の回動レバー用係止部に係止されるものであることを特徴とする。
【００１６】
本発明の請求項６に係るタイミングベルト連結用具のベルト押さえ部は所期の目的を達成するために下記の課題解決手段を特徴とする。
すなわち、請求項６に係るタイミングベルト連結用具のベルト押さえ部は、
軸線方向の一端側にタイミングベルト挿脱口を有すると共に当該軸線方向と直交状に回動レバー出入口を有する回動レバー収納空所が形成され、かつ、回動レバー用係止部が設けられていると共に回動停止用螺杆を螺合される螺孔が設けられている用具本体と、
上記軸線方向へ遊動自在にして前記回動レバー出入口より出入自在なるよう用具本体に枢支されて前記回動レバー収納空所に内装されたものであって、前記タイミングベルト挿脱口からみた奥側の端部にタイミングベルト衝当部が形成され、タイミングベルトの歯部と係嵌自在に対応する抜け止め溝が刻設され、さらに前記回動レバー用係止部と係脱自在に対応する係留部が具備されている回動レバーとからなり、
用具本体のタイミングベルト挿脱口から回動レバー収納空所に進入させたタイミングベルトの連結端部を回動レバーのタイミングベルト衝当部に押当させることで、用具本体の回動レバー出入口から開動突出状態にある回動レバーが閉動収納状態となってその抜け止め溝がタイミングベルトの歯部に係嵌されるものであり、かつ、
当該係嵌状態のタイミングベルトを用具本体から引出方向へ牽引することで、回動レバーの係留部が用具本体の回動レバー用係止部に係止されるものであり、かつ、
用具本体の前記螺孔に螺合された回動停止用螺杆により当該回動レバーの開動が阻止されて、これの閉動収納状態が保持されるものであることを特徴とする。
【００１７】
【発明の実施の形態】
本発明に係る請求項１につき図１ないし図４によって以下詳記すると、当該タイミングベルト連結用具１０は用具本体１０Ａと、これに収容された回動レバー１０Ｂとによって構成されている。
そして図示例の用具本体１０Ａは一対の半割本体１０ａを突き合わせ状態とし、その当接突き合わせ面１０ｂに表出された締着用螺孔１０ｃには、図示されていない他の半割本体に挿通の締着螺子を螺着することにより構成され、図４（Ａ）には当該半割本体１０ａの斜視図が明示されている。
この用具本体１０Ａは、その軸線Ｘ−Ｘ方向における一端側にあってタイミングベルト挿脱口１０ｄが開成されていると共に、当該軸線Ｘ−Ｘ方向と直交状であり、図面では上向きの回動レバー出入口１０ｅが開成された回動レバー収納空所１０ｆを具有している。さらに図示例では上記タイミングベルト挿脱口１０ｄの上位内側にあって、軸線Ｘ−Ｘ側に指向して形成された回動レバー用係止部１０ｇが、図示例では下向きの係当横面１０ｈと内向きの係当縦面１０ｉとによって鉤状に形成されている。
【００１８】
次に前記他の構成部材である回動レバー１０Ｂにつき説示すると、上記の用具本体１０Ａに対して軸線Ｘ−Ｘ方向へ遊動自在であり、かつ回動レバー出入口１０ｅより図面では上下方向へ出入自在なるよう枢支されることで、前記した回動レバー収納空所１０ｆに内装されている。
しかも当該回動レバー１０Ｂにはタイミングベルト挿脱口１０ｄの奥側にあって、軸線Ｘ−Ｘ方向すなわち図面では下向きにタイミングベルト衝当部１１ａが延設されていると共に、タイミングベルト２の歯部２ｃが１以上、望ましくは複数個だけ係嵌自在な抜け止め溝１１ｂが、用具本体１０Ａに形成したタイミングベルト載置面１０ｊに対向して開口刻設され、さらに回動レバー用係止部１０ｇに対して係脱自在なるよう係止する係留部１１ｃを具備している。ここで図中１１ｄは回動レバー１０ｂの表面側に刻設した操作用滑り止めを示している。
【００１９】
上記した如く用具本体１０Ａに対し回動レバー１０Ｂが遊動自在にして、かつ回動自在なるよう枢支するための手段としては、請求項３により明示され図面に例示した通りの構成とするのが望ましい。
すなわち、回動レバー１０Ｂの基端部１１ｅ側である用具本体１０Ａの奥側にあって、当該回動レバー１０Ｂの幅員方向に突出固設した回動ピン１１ｆを、用具本体１０Ａの幅員側壁１０ｋに設けられている軸線Ｘ−Ｘ方向に向けて長く穿設した案内長孔１０ｍに嵌装させるのであり、このようにすることで回動レバー１０Ｂが用具本体１０Ａに対して軸線Ｘ−Ｘ方向へ案内長孔１０ｍの長さだけ遊動すると共に、回動ピン１１ｆの案内長孔１０ｍ内における回動が可能となる。
【００２０】
上記の用具本体１０Ａと回動レバー１０Ｂの相対的な動作関係は、以下の通り規制されることによって請求項１の目的を達成し得るよう構成されている。
すなわち、タイミングベルト２の連結端部２Ａを用具本体１０Ａのタイミングベルト挿脱口１０ｄから軸線Ｘ−Ｘ方向へ図１（Ａ）の矢印の如く進入させることで、図２（Ａ）に示されているように、回動レバー１０Ｂが開動突出状態下にあるときなどにあって、連結端部２Ａを回動レバー１０Ｂのタイミングベルト衝当部１１ａに押当させれば、用具本体１０Ａの回動レバー出入口１０ｅから開動突出状態にある回動レバー１０Ｂが閉動収納状態へ向け回動し、回動レバー１０Ｂの抜け止め溝１１ｂをタイミングベルト２の歯部２ｃに係嵌して、図２（Ｂ）に示す如き状態となり、タイミングベルト２のフラット面２ｄは用具本体１０Ａにおける前記したタイミングベルト載置面１０ｊに圧接することになる。
次に、タイミングベルト２を連結端部２Ａから引出方向へ牽引することで、図２（Ｂ）の状態から図１（Ｂ）の如く、回動ピン１１ｆを案内長孔１０ｍに沿って図面にあって右動させれば、当該回動レバー１０Ｂの係留部１１ｃを用具本体１０Ａにおける回動レバー用係止部１０ｇに係止することが可能となり、この際当該係止に先行して回動レバー１０Ｂが開動してしまう場合には、回動レバー１０Ｂの上面に指をかけて、当該開動を阻止することが望ましく、かくして図１（Ｂ）の如き状態となる。
【００２１】
そして図１（Ｂ）の如きタイミングベルト２のタイミングベルト連結用具１０に対する連結完了状態からタイミングベルト２を外す際には、当然のことながらタイミングベルト２を持って、これをタイミングベルト連結用具１０に押し込むようにすれば、これより回動レバー１０Ｂが押入されることから、その係留部１１ｃが用具本体１０Ａの回動レバー用係止部１０ｇから離脱するに至り、この際少し引出方向へ牽引することで回動レバー１０Ｂを回動レバー収納空所１０ｆから開動突出状態とすることができ、そのままタイミングベルト２を引き抜くことが可能となる。
【００２２】
次に請求項２の構成につき説示すると、その基本的な技術内容は上述した請求項１と同じであり、その構成および作用につき相違するところは以下の通りである。
すなわち請求項２にあっては、回動レバー１０Ｂに関し用具本体１０Ａのタイミングベルト挿脱口１０ｄと対向する側にあって、開動用自由端部１１ｇが形成されている。
そして上記の開動用自由端部１１ｇに対し、用具本体１０Ａのタイミングベルト挿脱口１０ｄから進入させたタイミングベルト２の連結端部２Ａを押当させると、回動レバー１０Ｂの係留部が用具本体１０Ａの回動レバー用係止部１０ｇとの係留状態から離脱されるだけでなく、さらに当該回動レバー１０Ｂを用具本体１０Ａの回動レバー出入口１０ｅから開動突出状態となるよう強制的に作動することになる。
そのため図示例では上記開動用自由端部１１ｇを、係留部１１ｃに連結して図中軸線Ｘ−Ｘに向けてタイミングベルト挿脱口１０ｄから遠ざかる方向へ指向させたテーパー面に形成するようにして、上記の如くタイミングベルト２の押入力が、回動レバー１０Ｂに対する押し込みの力と回動の力として伝達するようにしている。
【００２３】
この結果請求項２によるときは、請求項１に比しタイミングベルト２の押入操作だけで、回動レバー１０Ｂの用具本体１０Ａに対する離脱と回動とを円滑に行い得て、容易に連結端部２Ａによるタイミングベルト衝当部１１ａへの押当が支障なく実現され、もちろんその後におけるタイミングベルト２の牽引により請求項１と同様にタイミングベルトの確実な把持が可能となる。
【００２４】
ここで、上記したタイミングベルト連結用具１０にあって説示した構成は、その軸線Ｘ−Ｘ方向一端側、すなわちベルト押さえ部についてであり、もちろん他端側には前説従来例として図７に開示したと同等の構成で、同一符合により示した周溝１ｊが設けられ、これには図４（Ｂ）に示した従来通りの調節ナット１ｋが回転自在に係嵌され、これに螺合し、かつ回り止めナット１ｆが螺合されると共に座金１ｇを被嵌した連枢螺杆１ｃは、その直交軸ピン１ｄを図示されていない別個のタイミングベルト連結用具１０に連枢することで、タイミングベルト２をエンドレス状に連結することとなる。
【００２５】
次に請求項４につき以下説示すると、請求項１の構成要素である用具本体１０Ａと回動レバー１０Ｂに対し、さらに図５に明示の如く弾発源１２が付加されている。
この弾発源１２には、例えば図示例の如くコイルスプリング１２ａを用いるようにして、これを前記の回動レバー１０Ｂにおける回動ピン１１ｆに巻装し、その一端脚部１２ｂを用具本体１０Ａの本体係当部１０ｎに、そして他端脚部１２ｃを回動レバー１０Ｂのレバー係当部１０ｐに夫々係当させることが可能である。
すなわち請求項４では用具本体１０Ａと回動レバー１０Ｂとの間に弾発源１２を設けることにより、回動レバー１０Ｂにたいして、用具本体１０Ａの回動レバー用係止部１０ｇへ向けての押動弾発力と、回動レバー１０Ｂが回動レバー出入口１０ｅから開動突出状態となる開動弾発力とが付勢されるよう構成するのである。
【００２６】
そして、タイミングベルト２の連結端部２Ａを用具本体１０Ａのタイミングベルト挿脱口１０ｄから進入させることで、弾発源１２の上記押動弾発力に抗して回動レバー１０Ｂを奥側へ押入すれば、回動レバー用係止部１０ｇに係止していた回動レバー１０Ｂの係留部１１ｃが外されるに至り、ついで当該回動レバー１０Ｂは前記開動弾発力を受けて、用具本体１０Ａの回動レバー出入口１０ｅから強制的に開動突出状態に跳ね上げられる。
さらに請求項１と同じく連結端部２Ａがタイミングベルト衝当部１１ａに押当するに至れば、回動レバー１０Ｂを開動弾発力に抗して閉動収納状態とすることができ、その後は回動レバー１０Ｂの弾発源１２による開動弾発力による開動突出状態への開動を指先などで阻止するなどして、用具本体１０Ａから牽引することにより、係留部１１ｃを回動レバー用係止部１０ｇに係止できるように構成されている。
【００２７】
従って上記請求項４によるときは弾発源１２の配在によって回動レバー１０Ｂの作動が助勢され、このことにより強制的に回動の回動レバー１０Ｂにおける抜け止め溝１１ｂとタイミングベルト２の歯部２ｃとの噛み込みが円滑に実施でき、また係留部１１ｃの回動レバー用係止部１０ｇへの係止操作も、強制的なスライド動作により容易にして確実になされ、また連結状態を解除したいときは、タイミングベルト２を少しだけ押入してやれば、回動レバーは跳ね上がるようにして開動するから、引き抜き作業も簡易に行うことができる。
【００２８】
さらに請求項５について以下説示すると、これが請求項４の内容と相違する構成は図６に明示の通り、用具本体１０Ａと回動レバー１０Ｂと弾発源１２の構成要素中、回動レバー１０Ｂに関して、その回動レバー出入口１０ｅから押し込み自在となるように、用具本体１０Ａの奥側すなわち周溝１ｊ側へ向けて延設した係留離脱用操作レバー１１ｈが設けられていることである。
そして当該請求項５によるときは、上記係留離脱用操作レバー１１ｈの図６における矢印Ｐ方向への押し込み操作によって、用具本体１０Ａの回動レバー用係止部１０ｇから、係留部１１ｃが離脱され、これにより回動レバー１０Ｂが前記した開動弾発力により、用具本体１０Ａの回動レバー出入口から開動突出状態となるように構成されている。
【００２９】
このため当該図示例にあっては、図５のように回動レバー用係止部１０ｇの係当横面１０ｈに係留部１１ｃが傾倒しているのではなく、回動レバー用係止部１０ｇに奥側へ向けて回動レバー出入口１０ｅ側へ近接するようにした係当傾斜面１０ｑを形成し、これに対し係留部１１ｃが、押当面接するよう傾斜状態に形成されてある。従って前説の如く係留離脱用操作レバー１１ｈを押下させた場合には、係当傾斜面１０ｑに対し係留部１１ｃがスライドしながら、回動レバー１０Ｂが奥側への移動と開動とを伴って開動突出状態に達することとなり、もちろん図６の如き係止状態では、弾発源１２の押動弾発力によって係留部１１ｃと回動レバー用係止部１０ｇとの係止状態は保持されている。
この結果請求項５によるときは、タイミングベルト２の連結端部２Ａを押入して回動レバー１０Ｂを用具本体１から外さなくとも、予め係留離脱用レバー１１ｈの押し込み操作で回動レバー１０Ｂを開動突出状態にしておくことができ、このため簡易迅速な操作でタイミングベルト２をタイミングベルト連結用具１のベルト押さえ部に連結することができる。
【００３０】
請求項６について以下説示すると、ここでは前記請求項１の構成に比し、用具本体１０Ａに関し、図１（Ｂ）そして図５、図６にも開示されている通り、別途用意された回動停止用螺杆１３が螺合締着される螺孔１０ｒを刻設してある点で相違している。
図示例では、上記螺孔１０ｒが、用具本体１０Ａにおけるタイミングベルト載置面１０ｊ側にあって、軸線Ｘ−Ｘに対し直交状にして回動レバー１０Ｂの奥側にあって設けられており、タイミングベルト２の連結端部２Ａを連結してしまった後に、前記の回動停止用螺杆１３を螺孔１０ｒに螺着することによって、当該回動レバー１０Ｂの回動が阻止されて閉動収納状態が保持されるよう構成するのである。
このため図示例の場合には、回動レバー１０Ｂの奥側における端面にあって図３（Ａ）に明示されている弧状縦欠部１１ｉを凹設しておき、これに回動停止用螺杆１３が螺入されるようにして、回動レバー１０Ｂの回動ピン１１ｆを中心とした回動を阻止するようにしている。
従って請求項６によるときは、回動レバー１０Ｂが回動停止用螺杆１３によってその開動を完全に阻止されることになるから、不測の外的条件によってもタイミングベルト２が不本意に脱落してしまうといったことなく、その信頼性を向上することができる。
【００３１】
【発明の効果】
本発明は以上のようにして構成されているから、請求項１によるときは用具本体に回動レバーを遊動かつ回動自在なるよう枢支し、タイミングベルトの連結端部を用具本体に挿入するだけで、タイミングベルトの歯部を、回動レバーの抜け止め溝に係嵌挟持し、かつタイミングベルトとの牽引操作で用具本体に回動レバーを係止状態としてしまうので、タイミングベルトの挿入と牽引操作だけで、タイミングベルトの連結用具におけるベルト押さえ部に、上記の連結端部を固定してしまうことができ、従来の如き多数部品の接合やビス止め作業による分解や組み立ての作業に、多大な労力と時間を費やすことなく、画期的な当該労力の軽減と作業時間の短縮を可能とし、ビス等の脱落に伴う不利益と危険を解消することができる。
【００３２】
請求項２によるときは、請求項１の上記効果に加えて、回動レバーに回動用自由端部を形成したので、これをタイミングベルトの連結端部で回動レバーを容易に開動突出状態とすることができるので、連結作業をより一層円滑に行うことができ、さらに請求項３の場合には請求項２の内容を用具本体の案内長孔に対する回動レバーに設けた回動ピンの挿通構造により実現するようにしたので、請求項２の効果を簡易な構成で実現することが可能となる。
【００３３】
さらに請求項４の場合にあっては、回動レバーと用具本体との間に弾発源を介設するようにしたので、請求項１における作用を当該弾発力の利用によって助勢することができ、タイミングベルトの連結端部を連結するための一連の動作が、より一層簡易、迅速にして勝つ確実に支障なく実施することが可能となる。
【００３４】
さらに請求項５によるときは上記請求項４における回動レバーにあって、押し込み操作で回動レバーを開動できる係留離脱用操作レバーを延設するようにしたので、当該押し込み操作で回動レバーを予め開動突出状態とした後、タイミングベルトの押入操作を行い得るようになり、この結果タイミングベルトの連結端部で回動レバーを開動させなくとも簡易迅速に連結作業を行うことができる。
そして請求項６にあっては、請求項１に比し螺孔に回動停止用螺杆を螺着することで、回動レバーの開動を阻止可能な構成としたことから、タイミングベルトが不測の外力等によりタイミングベルト連結用具から離脱してしまうといった心配を解消することがでる。
【図面の簡単な説明】
【図１】（Ａ）は本発明に係るタイミングベルト連結用具のベルト押さえ部に、タイミングベルト連結端部を押入して、回動レバーが閉動し始めた状態を示す半割状態の側面図で、（Ｂ）は連結完了状態を示す半割状態の側面図である。
【図２】（Ａ）は図１（Ａ）以前のタイミングベルト押入直前状態を示した同上半割状態の側面図、（Ｂ）は図１（Ｂ）の直前状態である連結未完了状態を示した半割状態の側面図で、（Ｃ）はタイミングベルト押入直前にあって回動レバーが閉動収納状態にある場合を示した半割状態の側面図である。
【図３】本発明に係るタイミングベルト連結用具の一構成部材である回動レバーを示し、（Ａ）はその奥端側を開示した斜視図で、（Ｂ）は自由端側開示の斜視図である。
【図４】（Ａ）は同上タイミングベルト連結用具の他構成部材である用具本体の半割部材を示す斜視図で、（Ｂ）はこれに取着するタイミングベルトの長さ調節用部材群を示した斜視図である。
【図５】請求項４に係るタイミングベルト連結用具の半割状態を示した側面図である。
【図６】請求項５に係るタイミングベルト連結用具の半割状態を示した側面図である。
【図７】従来のタイミングベルト連結用具の分解状態を示した斜視図である。
【符号の説明】
２    タイミングベルト
２Ａ  連結端部
２ｃ  歯部
１０Ａ  用具本体
１０Ｂ  回動レバー
１０ｄ  タイミングベルト挿脱口
１０ｅ  回動レバー出入口
１０ｆ  回動レバー収納空所
１０ｇ  回動レバー用係止部
１０ｋ  用具本体の幅員側壁
１０ｍ  案内長孔
１０ｒ  螺孔
１１ａ  タイミングベルト衝当部
１１ｂ  抜け止め溝
１１ｃ  係留部
１１ｆ  回動ピン
１１ｇ  開動用自由端部
１１ｈ  係留離脱用操作レバー
１２    弾発源
１３    回動停止用螺杆
Ｘ−Ｘ  軸線
【図１】
0003595227.tif 000002
【図２】
0003595227.tif 000003
【図３】
0003595227.tif 000004
【図４】
0003595227.tif 000005
【図５】
0003595227.tif 000006
【図６】
0003595227.tif 000007
【図７】
0003595227.tif 000008